【手続補正書】
【提出日】平成15年11月11日(2003.11.11)
【手続補正１】
【補正対象書類名】明細書
【補正対象項目名】特許請求の範囲
【補正方法】変更
【補正の内容】
【特許請求の範囲】
【請求項１】
無線接続可能な端末を探索する指示である端末探索指示を受け付ける端末探索指示受付手段と；
上記端末探索指示の受付に応答して、上記無線接続可能な端末の探索を要求する端末探索要求手段と；
上記端末探索要求に対する応答を検出する応答検出手段と；
上記応答検出手段が検出した無線接続可能な端末を、オペレータに報知する無線接続可能端末報知手段と；
を有することを特徴とする情報処理システム。
【請求項２】
請求項１において、
上記無線接続可能な端末は、Ｂｌｕｅｔｏｏｔｈ通信規格に対応している端末であることを特徴とする情報処理システム。
【請求項３】
請求項１において、
上記無線接続可能な端末を登録する無線接続可能端末登録手段を有することを特徴とする情報処理システム。
【請求項４】
請求項１において、
上記端末探索指示受付手段は、任意のタイミングで、上記端末指示を受け付け可能な手段であることを特徴とする情報処理システム。
【請求項５】
無線接続可能な端末を探索する指示である端末探索指示を受け付ける端末探索指示受付ステップと；
上記端末探索指示の受付に応答して、上記無線接続可能な端末の探索を要求する端末探索要求ステップと；
上記端末探索要求に対する応答を検出する応答検出ステップと；
上記応答検出ステップで検出された無線接続可能な端末を、オペレータに報知する無線接続可能端末報知ステップと；
を有することを特徴とする情報処理端末制御方法。
【請求項６】
無線接続可能な端末を探索する指示である端末探索指示を受け付ける端末探索指示受付手順と；
上記端末探索指示の受付に応答して、上記無線接続可能な端末の探索を要求する端末探索要求手順と；
上記端末探索要求に対する応答を検出する応答検出手順と；
上記応答検出手順で検出された無線接続可能な端末を、オペレータに報知する無線接続可能端末報知手順と；
をコンピュータに実行させるプログラムを記憶したコンピュータ読み取り可能な記憶媒体。
【請求項７】
無線接続可能な端末を探索する指示である端末探索指示を受け付ける端末探索指示受付手段と；
上記端末探索指示の受付に応答して、上記無線接続可能な端末の探索を、初期接続手順で要求する端末探索要求手段と；
上記端末探索要求に対する応答を検出する応答検出手段と；
上記応答検出手段が検出した無線接続可能な端末に、無線接続を要求する無線接続要求手段と；
上記無線接続要求手段が行った無線接続要求の結果を検出する無線接続要求結果検出手段と；
上記無線接続要求結果検出手段が検出した無線接続可能な端末の属性を交換する属性交換手段と；
上記属性交換手段が交換した無線接続可能な端末の属性を、オペレータに報知する無線接続可能端末の属性報知手段と；
を有することを特徴とする情報処理システム。
【請求項８】
請求項７において、
上記無線接続可能な端末は、Ｂｌｕｅｔｏｏｔｈ通信規格に対応している端末であることを特徴とする情報処理システム。
【請求項９】
請求項７において、
上記初期接続手順は、Ｂｌｕｅｔｏｏｔｈ通信規格のＩｎｑｕｉｒｙコマンドであることを特徴とする情報処理システム。
【請求項１０】
請求項７において、
上記属性の交換は、Ｂｌｕｅｔｏｏｔｈ通信規格の属性交換手順であることを特徴とする情報処理システム。
【請求項１１】
請求項７において、
上記属性報知手段は、情報処理端末で使用可能な属性と使用不可能な属性とを区別可能に表示する手段であることを特徴とする情報処理システム。
【請求項１２】
請求項７において、
上記端末探索指示受付手段は、任意のタイミングで、上記端末指示を受け付け可能な手段であることを特徴とする情報処理システム。
【請求項１３】
請求項７において、
上記属性交換手段が交換した無線接続可能な複数の端末のうちで、少なくとも１つの端末の識別情報を記憶する記憶手段を有することを特徴とする情報処理システム。
【請求項１４】
請求項１３において、
上記識別情報を記憶した端末とは、上記初期接続手順を実行しないで接続することを特徴とする情報処理システム。
【請求項１５】
請求項１４において、
上記初期接続手順を実行しない接続とは、Ｂｌｕｅｔｏｏｔｈ通信規格のＰａｇｅコマンドで行うことを特徴とする情報処理システム。
【請求項１６】
請求項７において、
上記端末の属性を交換した後、上記端末との間で再度無線接続要求があるまで無線接続を切断することを特徴とする情報処理システム。
【請求項１７】
無線接続可能な端末を探索する指示である端末探索指示を受け付ける端末探索指示受付ステップと；
上記端末探索指示の受付に応答して、上記無線接続可能な端末の探索を、初期接続手順で要求する端末探索要求ステップと；
上記端末探索要求に対する応答を検出する応答検出ステップと；
上記応答検出ステップで検出した無線接続可能な端末に、無線接続を要求する無線接続要求ステップと；
上記無線接続要求ステップで行った無線接続要求の結果を検出する無線接続要求結果検出ステップと；
上記無線接続要求結果検出ステップで検出した無線接続可能な端末の属性を交換する属性交換ステップと；
上記属性交換ステップで交換した無線接続可能な端末の属性を、オペレータに報知する無線接続可能端末の属性報知ステップと；
を有することを特徴とする情報処理端末制御方法。
【請求項１８】
無線接続可能な端末を探索する指示である端末探索指示を受け付ける端末探索指示受付手順と；
上記端末探索指示の受付に応答して、上記無線接続可能な端末の探索を、初期接続手順で要求する端末探索要求手順と；
上記端末探索要求に対する応答を検出する応答検出手順と；
上記応答検出手順で検出した無線接続可能な端末に、無線接続を要求する無線接続要求手順と；
上記無線接続要求手順で行った無線接続要求の結果を検出する無線接続要求結果検出手順と；
上記無線接続要求結果検出手順で検出した無線接続可能な端末の属性を交換する属性交換手順と；
上記属性交換手順で交換した無線接続可能な端末の属性を、オペレータに報知する無線接続可能端末の属性報知手順と；
をコンピュータに実行させるプログラムを記憶したコンピュータ読み取り可能な記憶媒体。
【請求項１９】
無線接続する装置と有線接続する装置とを登録する登録手段と；
上記無線接続する装置との通信を実行するための第１タスクと、上記有線接続する装置との通信を実行するための第２タスクと、上記第１タスクおよび第２タスクに通信を指示するコントロールタスクとを記憶する記憶手段と；
回線から受信したデータを上記無線接続する装置に転送するか、上記有線接続する装置に転送するかを判別する判別手段と；
を有し、上記判別手段による判別に応じて、上記コントロールタスクは選択的に上記第１タスクまたは第２タスクのいずれかに通信を指示することを特徴とする情報処理システム。
【手続補正２】
【補正対象書類名】明細書
【補正対象項目名】００１０
【補正方法】変更
【補正の内容】
【００１０】
【課題を解決するための手段】
本発明は、無線接続可能な端末を探索する指示である端末探索指示を受け付ける端末探索指示受付手段と、上記端末探索指示の受付に応答して、上記無線接続可能な端末の探索を要求する端末探索要求手段と、上記端末探索要求に対する応答を検出する応答検出手段と、上記応答検出手段が検出した無線接続可能な端末を、オペレータに報知する無線接続可能端末報知手段とを有することを特徴とする情報処理システムおよび情報処理端末制御方法、情報処理端末制御方法のプログラムを記憶した記憶媒体である。
また、無線接続可能な端末を探索する指示である端末探索指示を受け付ける端末探索指示受付手段と、上記端末探索指示の受付に応答して、上記無線接続可能な端末の探索を、初期接続手順で要求する端末探索要求手段と、上記端末探索要求に対する応答を検出する応答検出手段と、上記応答検出手段が検出した無線接続可能な端末に、無線接続を要求する無線接続要求手段と、上記無線接続要求手段が行った無線接続要求の結果を検出する無線接続要求結果検出手段と、上記無線接続要求結果検出手段が検出した無線接続可能な端末の属性を交換する属性交換手段と、上記属性交換手段が交換した無線接続可能な端末の属性を、オペレータに報知する無線接続可能端末の属性報知手段とを有することを特徴とする情報処理システムおよび情報処理端末制御方法、情報処理端末制御方法のプログラムを記憶した記憶媒体である。
また、無線接続する装置と有線接続する装置とを登録する登録手段と、上記無線接続する装置との通信を実行するための第１タスクと、上記有線接続する装置との通信を実行するための第２タスクと、上記第１タスクおよび第２タスクに通信を指示するコントロールタスクとを記憶する記憶手段と、回線から受信したデータを上記無線接続する装置に転送するか、上記有線接続する装置に転送するかを判別する判別手段とを有し、上記判別手段による判別に応じて、上記コントロールタスクは選択的に上記第１タスクまたは第２タスクのいずれかに通信を指示することを特徴とする情報処理システムである。